(57)【要約】【課題】二重シュート式組合せ秤に１台の包装機を連結する場合と複数の包装機を連結する場合との共用に好適な二重シュート式組合せ秤用の排出装置及び二重シュート式組合せ秤を提供する。【解決手段】上部に投入口２６，３６，４６を有し底部の一側面側にのみ排出口２２，３２，４２を有する筐体２７，３７，４７、及び筐体２７，３７，４７に揺動自在に装着されて排出口２２，３２，４２を開閉するゲート２１，３１，４１、を有する３個の集合ホッパ２０，３０，４０が、該３個の集合ホッパ２０，３０，４０の投入口２６，３６，４６が３つのシュートの下端にそれぞれ位置し、かつ排出口２２，３２，４２が交互に反対の側面に向くようにして水平方向に一列に連結して構成された本体１と、３個の集合ホッパ２０，３０，４０のうち中央に位置する中央集合ホッパ３０のゲート３１と両端に位置する一対の両端集合ホッパ２０，４０のゲート２１，４１とを独立して開閉駆動可能な駆動機構２と、を有する、【選択図】図４
2008020269.tif 000002
【特許請求の範囲】
【請求項１】
漏斗状の内側シュート、該内側シュートの一方の外側側方に沿って配設される第１外側シュート及び該内側シュートの他方の外側側方に沿って配設される第２外側シュートを有する二重シュート式組合せ秤において、これら３つのシュートの下端に構成されている排出装置であって、
上部に投入口を有し底部の一側面側にのみ排出口を有する筐体、及び前記筐体に揺動自在に装着されて前記排出口を開閉するゲート、を有する３個の集合ホッパが、該３個の集合ホッパの投入口が前記３つのシュートの下端にそれぞれ位置し、かつ前記排出口が交互に反対の側面に向くようにして水平方向に一列に連結して構成された本体と、
前記３個の集合ホッパのうち中央に位置する中央集合ホッパの前記ゲートと両端に位置する一対の両端集合ホッパの前記ゲートとを独立して開閉駆動可能な駆動機構と、を有する、排出装置。
【請求項２】
前記筐体は対向する一対の垂直壁体を有し、
前記一対の垂直壁体が前記排出口の両側を仕切り、前記本体は前記排出口の両側部近傍を除いて前記垂直壁体同士が接触して構成され、かつ、前記ゲートの周縁部の少なくとも一部が前記排出口の両側部近傍の前記垂直壁体に沿うように延伸している、請求項１に記載の排出装置。
【請求項３】
前記駆動機構は、前記集合ホッパの連結方向に沿って延びる一対の駆動軸と、該一対の駆動軸をそれぞれ独立して軸回転させる駆動装置と、を有し、
前記３つの集合ホッパの前記ゲートはそれぞれの前記筐体の上部のゲート釣支部に揺動自在に釣支され、
前記中央集合ホッパの前記ゲートは一方の前記駆動軸によって揺動され、一対の前記両端集合ホッパの前記ゲートは他方の前記駆動軸によって連動して揺動される、請求項１に記載の排出装置。
【請求項４】
漏斗状の内側シュート、該内側シュートの一方の外側側方に沿って配設される第１外側シュート及び該内側シュートの他方の外側側方に沿って配設される第２外側シュートを有する二重シュート式組合せ秤であって、
前記３つのシュートの下端に請求項１の排出装置を備えた、二重シュート式組合せ秤。
【発明の詳細な説明】
【技術分野】
【０００１】
本発明は、二重シュート式組合せ秤用の排出装置及び二重シュート式組合せ秤に関する。さらに詳しくは、漏斗状の内側シュート、該内側シュートの一方の外側側方に沿って配設される第１外側シュート及び該内側シュートの他方の外側側方に沿って配設される第２外側シュートを有する二重シュート式組合せ秤において、これら３つのシュートの下端に配設されている排出装置及び二重シュート式組合せ秤に関する。
【背景技術】
【０００２】
通常、組合せ秤は、計量された被計量物が略自動的に包装されるように包装機が連結されて使用されている。したがって、組合せ秤の計量速度と包装機の包装速度とが等しい場合には、組合せ秤及び包装機同士の処理を同期させることができ、一対の組合せ秤及び包装機による計量及び包装の工程を効率化させることができる。
【０００３】
ここで、近年、包装機の改良が進み、包装速度が高まったことから、組合せ秤の計量速度の向上が求められるようになってきた。組合せ秤の計量速度の向上には、特許文献１及び２に例示されるような二重シュート式組合せ秤を利用することができる。
【０００４】
特許文献１及び２には、漏斗状の内側シュート、該内側シュートの一方の外側側方に沿って配設される第１外側シュート及び該内側シュートの他方の外側側方に沿って配設される第２外側シュートを有する二重シュート式組合せ秤が開示されている（特許文献１では、図２及び３の内側シュート１０ならびに第１及び第２の外側シュート２２、２４参照、特許文献２では、図２の内側シュートＩＢ及び外側シュートＯＡ参照）。
【０００５】
また、これら３つのシュートの下端には、それぞれ別個に排出装置が構成されている（特許文献１では図２及び３の内側蓋体１６ならびに第１及び第２の外側蓋体３４，３６参照、特許文献２では、図２のタイミングホッパＨＡ、ＨＢ、及び図５の中間ホッパＨ1〜Ｈ3参照）。
【０００６】
このような二重シュート式組合せ秤によれば、一回の計量動作から、複数組の組合せを選択して、内外のシュートにそれぞれ選択された各組の被計量物をほぼ同時に排出し、それぞれシュート下端の排出装置を順次開閉することによって、計量速度を向上させることができる。
【特許文献１】実開昭６２−３０１２２号公報
【特許文献２】特開平８−１５２３５３号公報
【発明の開示】
【発明が解決しようとする課題】
【０００７】
しかし、特許文献１及び２に示される組合せ秤は、被計量物を２つの排出先に振り分ける構造、つまり、１台の組合せ秤に２台の包装機を連結させる場合に好適な構造である。したがって、特許文献１の内側蓋体及び外側蓋体の位置は離隔しており、１台の包装機に被計量物を供給する場合には、組合せ秤と包装機との接続部において被計量物を包装機の投入口に導く必要がある。すなわち、組合せ秤と包装機との接続部の構造が複雑化すると共に、該接続部において被計量物を移送する移送時間を要し、被計量物の計量から包装までの工程の処理速度の低下につながる。
【０００８】
また、特許文献２の図１及び図２に開示された組合せ秤では、タイミングホッパのゲート同士の干渉を防止するため、タイミングホッパ同士を離隔させる必要があり、特許文献１と同様に、１台の包装機に被計量物を供給する場合における被計量物の計量から包装までの工程の処理速度の向上には改善の余地があった。
【０００９】
さらに、特許文献２の図５に開示された組合せ秤では、中間ホッパは、被計量物をＡ列のタイミングホッパとＢ列のタイミングホッパとの２方向へ選択的に排出可能に構成されているので、中間ホッパの構造が複雑であった。また、中間ホッパのゲートの駆動機構同士の干渉を回避させるために、中間ホッパ同士を多少離隔させる必要があった。
【００１０】
加えて、従来は、１台の包装機を連結する場合と複数の包装機を連結する場合とで、好適なシュート下端の排出装置の構造が異なっていたので、組合せ秤の汎用性の面において改善の余地があった。
【００１１】
本発明は上記のような課題を解決するためになされたもので、二重シュート式組合せ秤に１台の包装機を連結する場合と複数の包装機を連結する場合との共用に好適な二重シュート式組合せ秤用の排出装置及び二重シュート式組合せ秤を提供することを目的としている。
【課題を解決するための手段】
【００１２】
上記目的を達成するために、第１の本発明の排出装置は、漏斗状の内側シュート、該内側シュートの一方の外側側方に沿って配設される第１外側シュート及び該内側シュートの他方の外側側方に沿って配設される第２外側シュートを有する二重シュート式組合せ秤において、これら３つのシュートの下端に構成されている排出装置であって、
上部に投入口を有し底部の一側面側にのみ排出口を有する筐体、及び前記筐体に揺動自在に装着されて前記排出口を開閉するゲート、を有する３個の集合ホッパが、該３個の集合ホッパの投入口が前記３つのシュートの下端にそれぞれ位置し、かつ前記排出口が交互に反対の側面に向くようにして水平方向に一列に連結して構成された本体と、
前記３個の集合ホッパのうち中央に位置する中央集合ホッパの前記ゲートと両端に位置する一対の両端集合ホッパの前記ゲートとを独立して開閉駆動可能な駆動機構と、を有する。
【００１３】
この構成によれば、本発明の排出装置の３つの排出口は１台の包装機の投入口に直接連結することが可能なほど集結して構成されているので、二重シュート式組合せ秤に１台の包装機を連結する場合には被計量物はより短い経路で包装機に投入される。つまり、被計量物の計量から包装までの処理速度を向上させることが可能である。また、本発明の排出装置の３つの排出口は隣り合う排出口が別の方向に向くように構成されているので、二重シュート式組合せ秤に２台又は３台の包装機を連結する場合には被計量物を各包装機に振り分けて投入することができる。したがって、本発明の排出装置は、二重シュート式組合せ秤に１台の包装機を連結する場合と複数の包装機を連結する場合との共用に好適である。
【００１４】
また、第２の本発明の排出装置は、前記筐体は対向する一対の垂直壁体を有し、
前記一対の垂直壁体が前記排出口の両側を仕切り、前記本体は前記排出口の両側部近傍を除いて前記垂直壁体同士が接触して構成され、かつ、前記ゲートの周縁部の少なくとも一部が前記排出口の両側部近傍の前記垂直壁体に沿うように延伸しているとよい。
【００１５】
この構成によれば、垂直壁体同士を接触させて本体をコンパクトに構成しながら、ゲートの剛性を向上させることができ、かつ排出口からの被計量物の漏出をより抑制することができる。
【００１６】
第３の本発明の排出装置は、前記駆動機構が、前記集合ホッパの連結方向に沿って延びる一対の駆動軸と、該一対の駆動軸をそれぞれ独立して軸回転させる駆動装置と、を有し、
前記３つの集合ホッパの前記ゲートはそれぞれの前記筐体の上部のゲート釣支部に揺動自在に釣支され、
前記中央集合ホッパの前記ゲートは一方の前記駆動軸によって揺動され、一対の前記両端集合ホッパの前記ゲートは他方の前記駆動軸によって連動して揺動されるとよい。
【００１７】
この構成によれば、駆動機構の構造をよりコンパクトにすることが可能となる。
【００１８】
第４の本発明の二重シュート式組合せ秤は、漏斗状の内側シュート、該内側シュートの一方の外側側方に沿って配設される第１外側シュート及び該内側シュートの他方の外側側方に沿って配設される第２外側シュートを有する二重シュート式組合せ秤であって、
前記３つのシュートの下端に請求項１の排出装置を備えている。
【００１９】
このように構成すれば、本発明の二重シュート式組合せ秤の３つの排出口は１台の包装機の投入口に直接連結することが可能なほど集結して構成されているので、二重シュート式組合せ秤に１台の包装機を連結する場合には被計量物はより短い経路で包装機に投入される。つまり、被計量物の計量から包装までの処理速度を向上させることが可能である。また、本発明の二重シュート式組合せ秤の３つの排出口は隣り合う排出口が別の方向に向くように構成されているので、二重シュート式組合せ秤に２台又は３台の包装機を連結する場合には被計量物を各包装機に振り分けて投入することができる。したがって、本発明の二重シュート式組合せ秤は、二重シュート式組合せ秤に１台の包装機を連結する場合と複数の包装機を連結する場合との共用に好適である。
【発明の効果】
【００２０】
本発明の排出装置及び二重シュート式組合せ秤は、二重シュート式組合せ秤に１台の包装機を連結する場合と複数の包装機を連結する場合との共用に好適であり、二重シュート式組合せ秤の汎用性を向上させるという効果を奏する。
【発明を実施するための最良の形態】
【００２１】
以下、本発明の好ましい実施の形態を、図面を参照しながら説明する。
【００２２】
（第１実施形態）
図１は、本発明の第１実施形態の二重シュート式組合せ秤の概略構成を示す模式図である。図２は、図１のII−II線における矢視図である。説明の便宜のため、図１では、排出装置以外の構造を断面図として示す。また、図２では、センター基体１２０などシュート１１０，１１２，１１３の上方に存在する部材を取り除いた状態で図示している。
【００２３】
本実施形態の組合せ秤１００の排出装置５０より上部の構成は、従来の二重シュート式組合せ秤の構成と同様である。すなわち、上面から見ると鉛直方向の軸（以下、単に中心軸）を中心として点対称にリニアフィーダ１０４、供給ホッパ１０６および計量ホッパ１０８が配設されており、図２に示すように、複数の計量ホッパ１０８はこの中心軸を中心とする円周上に略等間隔に配列されている。
【００２４】
図１に示すように、組合せ秤１００の上端中央には、電磁石のＯＮ／ＯＦＦにより振動して上流から供給された被計量物を外側（中心軸から離れる方向、以下同様）へと放射状に分散させる分散フィーダ１０２が配設されている。
【００２５】
分散フィーダ１０２の周囲には、電磁石のＯＮ／ＯＦＦにより振動して、分散フィーダ１０２から供給された被計量物をさらに外側へと直線状に供給するリニアフィーダ１０４が放射状に配設されている。
【００２６】
各リニアフィーダ１０４の排出端には、供給ホッパ１０６が配設されている。供給ホッパ１０６は、モータなどにより開閉駆動されるゲートを備え、リニアフィーダ１０４から供給される被計量物を保持して下流（下方）へと排出可能なように構成されている。
【００２７】
各供給ホッパ１０６の排出口の下方には、計量ホッパ１０８が配設されている。計量ホッパ１０８は、モータなどによりそれぞれ独立して開閉駆動される２枚のゲート、すなわち内側ゲート１２６と外側ゲート１２８とを備え、供給ホッパ１０６から供給される被計量物を保持し、内側ゲート１２６を開くことにより内側（中心軸へ近づく方向、以下同様）下方へ、外側ゲート１２８を開くことにより外側下方へ、被計量物を択一的に排出可能なように構成されている。
【００２８】
なお、各計量ホッパ１０８は、支持部材１３０によってセンター基体１２０（ボディ）に接続されている。支持部材１３０にはロードセル（図示せず）が取り付けられている。これによって、各計量ホッパ１０８が支持する被計量物の重量が検出可能となる。
【００２９】
計量ホッパ１０８の内側下方には、各内側ゲート１２６から排出された被計量物を組合せ秤１００の中心部下方へと滑落させながら集合させる漏斗状の内側シュート１１０が配設されている。
【００３０】
また、内側シュート１１０の一方の外側側方に沿って第１外側シュート１１２が配設され、内側シュート１１０の他方の外側側方に沿って第２外側シュート１１３が配設されている。これによって、円周上に配列されている各計量ホッパ１０８のうち一方側半分の計量ホッパ１０８の外側ゲート１２８から排出された被計量物は、第１外側シュート１１２によって、組合せ秤１００の中心部下方へと滑落しながら集合する。また、円周上に配列されている各計量ホッパ１０８のうち他方側半分の計量ホッパ１０８の外側ゲート１２８から排出された被計量物は、第２外側シュート１１３によって、組合せ秤１００の中心部下方へと滑落しながら集合する。
【００３１】
なお、図１及び２では明瞭には示されていないが、これら３つのシュート１１０，１１２，１１３は、一つの部材に一体化されて構成されていてもよいし、円周方向及び上下方向に分割して構成されていてもよい。
【００３２】
組合せ秤１００の中心部下方、すなわち３つのシュート１１０，１１２，１１３の下端には、各シュートに対応する集合ホッパ２０，３０，４０の投入口が配設されている。すなわち、図２に示すように、内側シュート１１０の下端に位置する内側用集合ホッパ（中央集合ホッパ）３０，第１外側シュート１１２の下端に位置する第１外側用集合ホッパ（両端集合ホッパ）２０，及び第２外側シュート１１３の下端に位置する第２外側用集合ホッパ（両端集合ホッパ）４０がそれぞれの投入口を上方に向けて位置している。
【００３３】
これら集合ホッパ２０，３０，４０は、排出装置５０として一つの部材に一体化されて配設されている。
【００３４】
なお、図示しないが、分散フィーダ１０２と、リニアフィーダ１０４と、供給ホッパ１０６は、適宜支持部材によってセンター基体１２０に装着されている。また、センター基体１２０と、シュート１１０，１１２，１１３と、排出装置５０とは、適宜支持部材によって架台（図示せず）に装着されている。
【００３５】
次に、本発明の特徴である排出装置５０の構造を説明する。
【００３６】
図３は、本発明の第１実施形態の排出装置の概略を示す正面図であり、図４は、本発明の第１実施形態の排出装置の概略を示す上面図であり、図５は、本発明の第１実施形態の排出装置の概略を示す側面図（ａ）及びその要部（ｂ）である。
【００３７】
図３及び図４に示すように、排出装置５０は、第１外側用集合ホッパ２０，内側用集合ホッパ３０及び第２外側用集合ホッパ４０が一列に連結されて構成されている本体１と、各集合ホッパ２０，３０，４０のゲート２１，３１，４１を開閉駆動する駆動機構２と、を有して構成されている。
【００３８】
本体１に連結されている集合ホッパ２０，３０，４０は同じ構造を有している。すなわち、それぞれ、上部に投入口２６，３６，４６を有し、底部の一側面側にのみ排出口２２，３２，４２を有する筐体２７，３７，４７、及び筐体２７，３７，４７に揺動自在に装着されて排出口２２，３２，４２を開閉するゲート２１，３１，４１を有して構成されている。
【００３９】
そして、本体１は、排出口２２，３２，４２を交互に反対の側面に向くようにして、集合ホッパ２０，３０，４０が水平方向に一列に連結して構成されている。すなわち、図４に示すように、第１外側用集合ホッパ２０及び第２外側用集合ホッパ４０とは排出口２２、４２を同じ方向に向けて並べられ、内側用集合ホッパ３０は排出口３２が排出口２２、４２と逆方向に向くように並べられている。これによって、第１外側用集合ホッパ２０の排出口２２と第２外側用集合ホッパ４０の排出口４２は、中心面Ｃの一方側に構成され、内側用集合ホッパ３０の排出口３２は、中心面Ｃの他方側に構成されている。
【００４０】
本体１は、集合ホッパ２０，３０，４０の筐体２７，３７，４７の上端が、筐体２７，３７，４７の上端側方を連結方向に延びて配設されている一対の板状の連結部材３，３に接合されて構成されている。連結部材３，３と筐体２７，３７，４７とは、ボルト及びナットのような接合手段によって接合されている。なお、本体１は他の方法によって構成することもできる。例えば、集合ホッパ２０，３０，４０の筐体２７，３７，４７の上端同士を溶接して構成することもできる。
【００４１】
ここで、図５（ａ）に示すように、ゲート２１，３１，４１は、筐体２７，３７，４７の上部に構成されたゲート釣支部２３，３３，４３によって、釣り下げられるようにして筐体２７，３７，４７に装着されている。
【００４２】
さらに、筐体２７，３７，４７は対向する一対の垂直壁体２５，３５，４５を有し、一対の垂直壁体２５，３５，４５が排出口２２，３２，４２の両側を仕切り、かつ本体１は排出口２２，３２，４２の両側部近傍を除いて垂直壁体２５，３５，４５同士が接触して構成されている。これによって、排出口２２，３２，４２を集結して構成することができる。ひいては、本体１をコンパクトに構成することができる。
【００４３】
さらに、ゲート２１，３１，４１の周縁部の少なくとも一部は排出口２２，３２，４２の両側部近傍の垂直壁体２５，３５，４５に沿うように延伸している。例えば、図５（ｂ）に示すように、ゲート３１は垂直壁体３５の端面を含む排出口３２の周囲の端面に接合して排出口３２を塞ぎ、ゲート３１の側縁部３１Ａが、一対の垂直壁体３５の外側において垂直壁体３５に沿うように屈曲して延伸している。これによって、ゲート２１，３１，４１の剛性を向上させることができ、かつ排出口２２，３２，４２からの被計量物の漏出をより抑制することができる。
【００４４】
駆動機構２は、３個の集合ホッパ２０，３０，４０のうち中央に位置する内側用集合ホッパ（中央集合ホッパ）のゲート３１と、両端に位置する第１外側用集合ホッパ２０及び第２外側用集合ホッパ４０（一対の両端集合ホッパ）のゲート２１，４１とを独立して開閉駆動するように構成されている。
【００４５】
ここでは、集合ホッパ２０，３０，４０の連結方向に沿って延びる一対のクランク軸（駆動軸）１１，１２と、該一対のクランク軸１１，１２をそれぞれ独立して軸回転させる駆動装置１０と、を有して構成されている。すなわち、内側用集合ホッパ３０のゲート３１が一方のクランク軸１２によって揺動されて排出口３０が開閉され、第１外側用集合ホッパ２０及び第２外側用集合ホッパ４０のゲート２１，４１が他方のクランク軸１１によって連動して揺動されて排出口２０及び排出口４０が連動して開閉駆動される。これによって、駆動機構の駆動装置を一台に集約し、かつ、第１外側用集合ホッパ２０及び第２外側用集合ホッパ４０のゲート２１，４１の開閉をクランク軸１１によって行うので、駆動機構の構造をよりコンパクトにすることが可能となる。
【００４６】
なお、各クランク軸は、ゲート２１，３１，４１の背面に構成されたクランク軸枢支部２４，３４，４４によって、ゲート２１，３１，４１に係合し、クランク軸１１，１２の軸回転によって、ゲート２１，３１，４１は、ゲート釣支部２３，３３，４３の周りに揺動するように構成されている。
【００４７】
駆動装置１０は、クランク軸１１に接続するモータとクランク軸１２に接合するモータを有して構成されている。あるいは、１個のモータの回転軸とクランク軸１１，１２との間にクラッチ機構を介在させて構築することもできる。
【００４８】
次に、組合せ秤１００の動作について図１を参照しながら、概略的に説明する。組合せ秤１００は、ＣＰＵ、メモリ、Ｉ／Ｏなどからなる制御装置（図示せず）を備えており、分散フィーダ１０２と、リニアフィーダ１０４と、供給ホッパ１０６と、計量ホッパ１０８と、排出装置５０の駆動装置１０とを駆動制御する。
【００４９】
まず、制御装置は計量ホッパ１０８に供給された被計量物の重量をロードセルを介して検出し、組合せ演算を行う。組合せ演算では、複数の計量ホッパ１０８の組合せのうち、例えば合計重量が所定の許容範囲内にあり、かつ所定の組合せ目標重量に最も近い組合せが選択される。
【００５０】
制御装置は、選択された組合せに従って計量ホッパ１０８の内側ゲート１２６または外側ゲート１２８を択一的に開き、被計量物を内側シュート１１０または第１及び第２外側シュート１１２、１１３へと択一的に排出する。
【００５１】
ここで、内側シュート１１０ならびに第１及び第２外側シュート１１２、１１３への被計量物の排出方法には、一回の組合せ演算において２組の組合せを選定し排出する方法と、一回の組合せ演算において３組の組合せを選定し排出する方法とがある。
【００５２】
まず、２組の組合せを選定し排出する方法においては、第１及び第２の組合せを選定し、第１の組合せに参加する計量ホッパ１０８の内側ゲート１２６を開き、第２の組合せに参加する計量ホッパ１０８の外側ゲート１２８を開く。これによって、第１の組合せの被計量物は内側シュート１１０に排出され、第２の組合せの被計量物は第１及び第２外側シュート１１２、１１３に分割して排出されるようになる。
【００５３】
また、３組の組合せを選定し排出する方法においては、第１外側シュート１１２に対応する計量ホッパ１０８から第１の組合せを選定し、第２外側シュート１１３に対応する計量ホッパ１０８から第２の組合せを選定し、残りの計量ホッパ１０８から第３の組合せを選定し、第１及び第２の組合せに参加する計量ホッパ１０８の外側ゲート１２６を開き、第３の組合せに参加する計量ホッパ１０８の内側ゲート１２６を開く。これによって、第１の組合せの被計量物は第１外側シュート１１２に排出され、第２の組合せの被計量物は第２外側シュート１１３に排出され、第３の組合せの被計量物は内側シュート１１０に排出されるようになる。なお、３組の組合せを選定し排出する方法においては、計量ホッパ１０８の組合せ演算の方法は、この演算方法に特定されるものではなく、制御装置の演算処理によって、第１外側シュート１１２に対応する計量ホッパ１０８から１組、第２外側シュート１１３に対応する計量ホッパ１０８から１組、及び内側シュートに対応する計量ホッパ１０８から１組の計３組の組合せが選定されればよい。
【００５４】
内側シュート１１０に排出された被計量物は排出装置５０の内側用集合ホッパ３０に一時的に貯留され、第１外側シュート１１２に排出された被計量物は排出装置５０の第１外側用集合ホッパ２０に一時的に貯留され、第２外側シュート１１３に排出された被計量物は排出装置５０の第２外側用集合ホッパ４０に一時的に貯留される。
【００５５】
そして、制御装置の制御に従い、被計量物の移動方向において下流側に配設された包装機（図示せず）のタイミングに同期して第１外側用集合ホッパ２０，内側用集合ホッパ３０及び第２外側用集合ホッパ４０がそれぞれ好適な時期に開閉駆動され、被計量物が包装機へと排出される。好適な時期は、通常、連結されている包装機の動作に基づいて決定される。
【００５６】
以上のようにして、排出装置５０は、３つの排出口２２，３２，４２が１台の包装機の投入口に直接連結することが可能なほど集結して構成されているので、組合せ秤１００に１台の包装機を連結する場合には被計量物はより短い経路で包装機に投入される。つまり、被計量物の計量から包装までの処理速度を向上させることが可能である。
【００５７】
また、排出装置５０の３つの排出口２２，３２，４２は隣り合う排出口が別の方向に向くように構成されているので、組合せ秤１００に２台又は３台の包装機を連結する場合には被計量物を各包装機に振り分けて投入することができる。
【００５８】
すなわち、垂直面である中心面Ｃを境にして排出口３２は一方側に位置し、排出口２２、４２は他方側に位置している。また、第１外側用集合ホッパ２０と第２外側用集合ホッパ４０との間には内側用集合ホッパ３０があるので、排出口２２と排出口４２とは離間している。これらの配置関係から、３つの排出口２２，３２，４２には、１台乃至３台の包装機を連結することができる。
【００５９】
一回の組合せ演算において２組の組合せを選定し排出する場合には、排出口３２に対応する包装機、及び排出口２２，４２に対応する包装機の２台の包装機を連結することができる。また、一回の組合せ演算において３組の組合せを選定し排出する場合には、排出口２２に対応する包装機、排出口３２に対応する包装機、及び排出口４２に対応する包装機の３台の包装機を連結することができる。さらに、一回の組合せ演算において２組又は３組の組合せを選定し排出する場合に、１台の包装機を排出口２２，３２、４２に対応して連結してもよい。この場合、包装機は、１回の包装に要するタクトが組合せ秤１００の1回の組合せ計量に要するタクトの１／２乃至１／３程度の高速包装機が好適である。
【００６０】
なお、３台の包装機を連結する場合には、駆動装置１０をもう一台追加して、２台の駆動装置１０が本体１の両側に対向するように配設して、第１外側用集合ホッパ２０のゲート２１と第２外側用集合ホッパ４０のゲート４１とをそれぞれ別の駆動装置１０によって駆動させるようにし、それぞれの排出口２２，３２，４２の下端にそれぞれの包装機の投入口を連結すればよい。
【００６１】
したがって、排出装置５０は、組合せ秤１００に１台の包装機を連結する場合と複数の包装機を連結する場合との共用に好適である。換言すれば、排出装置５０は、１台の包装機に被計量物を供給する場合及び２台の包装機に被計量物を供給する場合にも好適であるので、組合せ秤１００の汎用性を向上させることができる。
【００６２】
なお、上述した実施形態は一例であり、本発明の要旨を損なわない範囲での種々の変更は可能であり、本発明は上述した実施形態に限定されるものではない。
【産業上の利用可能性】
【００６３】
本発明の排出装置及び二重シュート式組合せ秤は、二重シュート式組合せ秤に１台の包装機を連結する場合と複数の包装機を連結する場合との共用に好適な二重シュート式組合せ秤用の排出装置及び二重シュート式組合せ秤として有用である。
【図面の簡単な説明】
【００６４】
【図１】本発明の第１実施形態の二重シュート式組合せ秤の概略構成を示す模式図である。
【図２】図２は、図１のII−II線における矢視図である。
【図３】本発明の第１実施形態の排出装置の概略を示す正面図である。
【図４】本発明の第１実施形態の排出装置の概略を示す上面図である。
【図５】本発明の第１実施形態の排出装置の概略を示す側面図（ａ）及びその要部（ｂ）である。
【符号の説明】
【００６５】
１  本体
２  駆動機構
３  連結部材
１０  駆動装置
１１，１２  クランク軸
２０  第１外側用集合ホッパ
３０  内側用集合ホッパ
４０  第２外側用集合ホッパ
２１，３１，４１  ゲート
２２，３２，４２  排出口
２３，３３，４３  ゲート釣支部
２４，３４，４４  クランク軸枢支部
２５，３５、４５  垂直壁体
２６，３６，４６  投入口
２７，３７，４７  筐体
５０  排出装置
１００  組合せ秤
１０２  分散フィーダ
１０４  リニアフィーダ
１０６  供給ホッパ
１０８  計量ホッパ
１１０  内側シュート
１１２  第１外側シュート
１１３  第２外側シュート
１２０  センター基体
１２６  内側ゲート
１２８  外側ゲート
１３０  支持部材
Ｃ  中心面
【図１】
2008020269.tif 000003
【図２】
2008020269.tif 000004
【図３】
2008020269.tif 000005
【図４】
2008020269.tif 000006
【図５】
2008020269.tif 000007